(57)【要約】【課題】ユーザが素早く目的のタイトルを見つけだすことができ、利便性が向上する映像音声記録装置を提供する。【解決手段】放送番組のハードディスクへの録画中、各所定期間内で放送番組の音量レベルが最大となったときの各フレームが記憶部１０に取得され、タイトルリスト表示操作がされると、信号処理部５がＯＳＤ映像信号を作成し映像Ｄ／Ａ変換部７の出力により、各タイトルについて記憶部１０に取得された各フレームの縮小画像が先の表示を更新するよう順次テレビジョンに表示される。【選択図】図１
2008278113.tif 000002
【特許請求の範囲】
【請求項１】
映像信号および音声信号を記録媒体に記録させる映像音声記録装置において、
各所定期間内で前記記録媒体に記録される音声信号の音量レベルが最大となるときの前記記録媒体に記録される映像信号に含まれる各フレームを取得するフレーム取得手段と、
各タイトルについて前記フレーム取得手段により取得されたフレームの縮小画像を先の表示を更新するよう順次表示手段に表示させるための表示信号を出力する表示信号出力手段と、を備えることを特徴とする映像音声記録装置。
【請求項２】
前記フレーム取得手段は、映像信号および音声信号の前記記録媒体への記録中に前記各フレームを取得することを特徴とする請求項１に記載の映像音声記録装置。
【請求項３】
前記所定期間は、操作手段により変更可能であることを特徴とする請求項１または請求項２に記載の映像音声記録装置。
【請求項４】
前記表示信号は、各タイトルの１番目に前記フレーム取得手段により取得された各フレームの縮小画像をタイトル毎に順次前記表示手段に表示させ、その後、先に表示された各フレームの次に前記フレーム取得手段により取得された各フレームの縮小画像を先の表示を更新するよう先の表示と同様のタイトル順番で順次前記表示手段に表示させることを繰り返すための表示信号であることを特徴とする請求項１〜請求項３のいずれかに記載の映像音声記録装置。
【発明の詳細な説明】
【技術分野】
【０００１】
本発明は、映像音声記録装置に関する。
【背景技術】
【０００２】
従来のハードディスクレコーダには、ハードディスクに記録された各タイトルのタイトル名をリスト表示させるタイトルリスト表示機能を有するものがある。タイトルリスト表示においてタイトル名がユーザにより選択されると、選択されたタイトル名のタイトルの再生が開始される。
【０００３】
しかし、タイトル名のみの表示ではタイトルの内容が把握しにくい場合があるため、各タイトル名に加えて各タイトルの縮小画像（いわゆるサムネイル）を表示させるようなタイトルリスト表示機能を有するハードディスクレコーダも登場している。
【０００４】
このようなハードディスクレコーダにおいてタイトル表示をさせると、まず初期画面としては図５（ａ）のように表示され、ここでは各タイトル名が表示される他、ハイライト１００により初期選択されているタイトルの縮小画像が動画表示され、その他のタイトルについては各タイトルの最初のフレームが静止画表示される。そして、ユーザ操作により図５（ｂ）のように別のタイトルがハイライト１００により選択されると、それまで選択されていたタイトルについては動画表示の最後に表示された縮小画像が静止画表示され、新たに選択されたタイトルについて縮小画像の動画表示がされる。以降、別のタイトルが選択されるたびに同様の動作がされる。そして、タイトルが選択された状態でユーザにより決定操作がされると選択されたタイトルが再生される。
【０００５】
このようなハードディスクレコーダによれば、ユーザはタイトルリスト表示において各タイトルの内容を動画表示により確認して目的のタイトルを見つけだすことができる。
【特許文献１】特開２００４−２６０５２１号公報
【発明の開示】
【発明が解決しようとする課題】
【０００６】
しかし、上記従来のハードディスクレコーダでは、タイトルを選択し動画表示させてタイトルの内容を確認するといったことをユーザが繰り返す必要があるため、目的のタイトルを見つけだすのに時間がかかってしまうという問題点があった。
【０００７】
また、特許文献１には、動画像データを編集するための候補位置を表す候補画像を表示するにあたって、候補位置を表すサムネイルに加えて、当該サムネイルが含まれているシーンに係る文字列データを表示するようにし、動画編集者が当該候補画像に表されている候補位置を容易に理解することができるとした動画像編集装置が開示されているが、このような動画像編集装置は上記のようなタイトルリスト表示における問題点を解決するものではない。
【０００８】
上記問題点を鑑み、本発明は、ユーザが素早く目的のタイトルを見つけだすことができ、利便性が向上する映像音声記録装置を提供することを目的とする。
【課題を解決するための手段】
【０００９】
上記目的を達成するために本発明の映像音声記録装置は、映像信号および音声信号を記録媒体に記録させる映像音声記録装置において、各所定期間内で前記記録媒体に記録される音声信号の音量レベルが最大となるときの前記記録媒体に記録される映像信号に含まれる各フレームを取得するフレーム取得手段と、各タイトルについて前記フレーム取得手段により取得されたフレームの縮小画像を先の表示を更新するよう順次表示手段に表示させるための表示信号を出力する表示信号出力手段と、を備える構成としている。
【００１０】
このような構成によれば、所定期間内で音量レベルが最大となるときのフレーム、つまり特徴的な場面と推定される画像の縮小画像がタイトル毎に時間的に並行して順次表示されるので、ユーザは各タイトルの内容を一度に把握することができ、素早く目的のタイトルを見つけだすことができる。
【００１１】
また、本発明の映像音声記録装置は、上記構成において、前記フレーム取得手段は、映像信号および音声信号の前記記録媒体への記録中に前記各フレームを取得するような構成とすることが望ましい。
【００１２】
このような構成によれば、録画中にフレームが取得されるので処理時間を効率化できる。
【００１３】
また、本発明の映像音声記録装置は、上記構成において、前記所定期間は、操作手段により変更可能であるような構成にすることが望ましい。
【００１４】
このような構成によれば、取得フレーム数が変更可能となり、縮小画像の表示数を多くして特徴的な画面を表示させやすくすることができ、ユーザはより一層素早く目的のタイトルを見つけだすことができる。
【００１５】
また、上記構成において、前記表示信号は例えば、各タイトルの１番目に前記フレーム取得手段により取得された各フレームの縮小画像をタイトル毎に順次前記表示手段に表示させ、その後、先に表示された各フレームの次に前記フレーム取得手段により取得された各フレームの縮小画像を先の表示を更新するよう先の表示と同様のタイトル順番で順次前記表示手段に表示させることを繰り返すための表示信号であればよい。
【発明の効果】
【００１６】
本発明の映像音声記録装置によれば、ユーザは各タイトルの内容を一度に把握することができ、素早く目的のタイトルを見つけだすことができるので利便性が向上する。
【発明を実施するための最良の形態】
【００１７】
以下、本発明の実施形態についてハードディスクレコーダを例として図面を参照して説明する。
【００１８】
図１に、本発明に係るハードディスクレコーダの概略構成図を示す。図１に示すよう、本発明に係るハードディスクレコーダは、チューナ２と、音声Ａ／Ｄ変換部３と、映像Ａ／Ｄ変換部４と、信号処理部５と、音声Ｄ／Ａ変換部６と、映像Ｄ／Ａ変換部７と、制御部８と、ＨＤＤ（ハードディスクドライブ）９と、記憶部１０と、リモコン受信部１１と、を備えている。なお、チューナ２にはアンテナ１が接続され、音声Ｄ／Ａ変換部６および映像Ｄ／Ａ変換部７には不図示のテレビジョンが接続される。
【００１９】
アンテナ１は、放送電波を受信し放送電波を高周波信号に変換してチューナ２に出力する。チューナ２は、アンテナ１から入力された高周波信号から所望の周波数の信号を抽出し抽出された信号から音声信号および映像信号を取り出し、音声信号は音声Ａ／Ｄ変換部３に出力し、映像信号は映像Ａ／Ｄ変換部４に出力する。音声Ａ／Ｄ変換部３は、チューナ２から入力された音声信号をＡ／Ｄ変換して信号処理部５に出力する。映像Ａ／Ｄ変換部４は、チューナ２から入力された映像信号をＡ／Ｄ変換して信号処理部５に出力する。
【００２０】
信号処理部５は、不図示のエンコード部を有し、音声Ａ／Ｄ変換部３から入力された音声信号および映像Ａ／Ｄ変換部４から入力された映像信号を圧縮符号化する。また、信号処理部５は、不図示のデコード部を有し、ＨＤＤ９が再生した映像信号および音声信号を伸長復号化することも行う。また、信号処理部５は、不図示のＯＳＤ（Ｏｎ  Ｓｃｒｅｅｎ  Ｄｉｓｐｌａｙ）部を有し、ＯＳＤ映像信号を生成することも行う。また、信号処理部５は、音声Ａ／Ｄ変換部３から入力された音声信号を音声Ｄ／Ａ変換部６にスルー出力し、映像Ａ／Ｄ変換部４から入力された映像信号を映像Ｄ／Ａ変換部７にスルー出力することも行う。
【００２１】
音声Ｄ／Ａ変換部６は、信号処理部５から入力される伸長復号化された音声信号、スルー出力の音声信号をＤ／Ａ変換し不図示のテレビジョンに出力する。これにより、テレビジョンにおいて各種音声が発せられる。また、映像Ｄ／Ａ変換部７は、信号処理部５から入力される伸長復号化された映像信号、スルー出力の映像信号、ＯＳＤ映像信号をＤ／Ａ変換し不図示のテレビジョンに出力する。これにより、テレビジョンにおいて各種映像が表示される。
【００２２】
ＨＤＤ９は、ハードディスクを内蔵し、信号処理部５で圧縮符号化された映像信号および音声信号をハードディスクに記録させる。また、ＨＤＤ９は、ハードディスクから圧縮符号化された映像信号および音声信号を再生する。
【００２３】
記憶部１０は、後述するようタイトルリスト表示に用いられるフレームが記憶され、例えば不揮発性メモリで構成すればよい。リモコン受信部１１は、不図示のリモコンから赤外線信号を受信しリモコン操作に応じたコード信号を出力する。
【００２４】
次に、本発明に係るハードディスクレコーダにおける録画時の動作について説明する。
【００２５】
不図示のリモコンにおいて録画開始操作がされると、信号処理部５は音声Ａ／Ｄ変換部３から入力された音声信号および映像Ａ／Ｄ変換部４から入力された映像信号の圧縮符号化を開始し、ＨＤＤ９は圧縮符号化された映像信号および音声信号のハードディスクへの記録を開始する。また、上記録画開始操作がされると、図２に示すフローチャートの動作も開始される。なお、録画中、信号処理部５は、音声Ａ／Ｄ変換部３からの入力を音声Ｄ／Ａ変換部６にスルー出力し、映像Ａ／Ｄ変換部４からの入力を映像Ｄ／Ａ変換部７にスルー出力する。
【００２６】
まずステップＳ１で、制御部８は変数ｎを０に初期化する。そして、ステップＳ２で、制御部８は変数ＭＡＸ＿ｖｏｌを０に初期化する。
【００２７】
次にステップＳ３で、制御部８は、変数ｎと変数Ｔｓとの積が変数Ｔｗよりも大きいか否かを判定する。ここで、変数Ｔｓは音量レベルのサンプル周期であり、任意の固定値である。また、変数Ｔｗは所定の期間であり、固定値でもよいが、不図示のリモコンの操作により変更可能とすることが望ましい。この場合、例えば、リモコン操作により不図示のテレビジョンに表示された設定画面上で、リモコン操作により変数Ｔｗの値が選択され、リモコンにおいて決定操作がされると、選択された値に変数Ｔｗが更新されるようにすればよい。
【００２８】
ステップＳ３で、変数ｎと変数Ｔｓとの積が変数Ｔｗ以下であると判定された場合（ステップＳ３のＮ）、ステップＳ４に進む。ステップＳ４で、制御部８は、音声Ｄ／Ａ変換部６の音声信号出力に基づき検出された音量レベルを変数ｖｏｌ［ｎＴｓ］に代入する。ステップＳ４での音量レベル取得は変数Ｔｓの周期で行われる。
【００２９】
そして、ステップＳ５で、制御部８は、変数ＭＡＸ＿ｖｏｌが変数ｖｏｌ［ｎＴｓ］よりも小さいか否かを判定する。ここで、変数ＭＡＸ＿ｖｏｌが変数ｖｏｌ［ｎＴｓ］よりも小さければ（ステップＳ５のＹ）、ステップＳ６に進み、制御部８は、変数ＭＡＸ＿ｖｏｌを変数ｖｏｌ［ｎＴｓ］の値に更新する。そして、ステップＳ７で、制御部８は、信号処理部５からスルー出力されるフレームを記憶部１０に記憶させ、ステップＳ８に進む。なお、２回目以降のステップＳ７では、現在記憶部１０に記憶されたフレームに新たなフレームが上書きされる。
【００３０】
また、ステップＳ５で、変数ＭＡＸ＿ｖｏｌが変数ｖｏｌ［ｎＴｓ］以上である場合（ステップＳ５のＮ）、ステップＳ６、Ｓ７は通過せず、ステップＳ８に進む。ステップＳ８で、制御部８は、変数ｎを１だけ増加させる。ステップＳ８の後はステップＳ３に戻る。
【００３１】
そして、ステップＳ３で、変数ｎと変数Ｔｓとの積が変数Ｔｗよりも大きいと判定されると（ステップＳ３のＹ）、図２のフローチャートは終了する。以降、不図示のリモコンにおいて録画停止操作がされるまで、図２のフローチャートの動作が繰り返される。
【００３２】
以上の動作により、録画完了の際には、ＨＤＤ９のハードディスクはタイトルが記録された状態となり、また、記憶部１０は、変数Ｔｗの各所定期間内で音量レベルが最大となったときの各フレームが記憶された状態となる。例えば、音量レベルの時間変化が図３のようであった場合は、図３中の×印のときの各フレームが録画完了の際に記憶部１０に記憶されていることになる。
【００３３】
次に、本発明に係るハードディスクレコーダにおけるタイトルリスト表示動作について説明する。
【００３４】
ここで、予め複数回の録画が行われ、ＨＤＤ９のハードディスクは複数のタイトルが記録された状態であり、記憶部１０はタイトル毎に複数のフレームが記憶された状態であるとする。このような状態で不図示のリモコンにおいてタイトルリスト表示操作がされると、信号処理部５は記憶部１０に記憶された各フレームに基づいてＯＳＤ映像信号を生成し映像Ｄ／Ａ変換部７に出力する。これにより、不図示のテレビジョンにタイトル表示がされる。
【００３５】
図４は、６つのタイトルがハードディスクに記録されている場合のタイトルリスト表示例を示す図である。タイトルリスト表示においては各タイトル名の表示に加えて縮小画像の表示がされる。縮小画像の表示については、まず図４の実線矢印に示すように画面上段を左から右に、それから画面下段を左から右という順に、記憶部１０に記憶された各タイトルの最も過去の各フレームが縮小画像として順次表示される。その後、図４の点線矢印および実線矢印に示すように、記憶部１０に記憶された各タイトルの先に表示された各フレームに直近した未来の各フレームが縮小画像として先の表示を更新するよう順次表示され、以降同様の表示が繰り返される。
【００３６】
また、タイトルリスト表示においてはハイライト１００も表示され、不図示のリモコン操作によりハイライト１００が移動されてタイトルが選択され、リモコンにおいて決定操作がされると、選択されたタイトルがＨＤＤ９によりハードディスクから再生され、不図示のテレビジョンにおいて再生音声が発せられ再生映像が表示される。
【００３７】
このように本発明に係るハードディスクレコーダによるタイトルリスト表示によれば、所定期間内で最大音量レベルとなったときのフレームの縮小画像、つまり特徴的な場面であると推定される画像が各タイトルについて順次表示されるので、ユーザは各タイトルの内容を一度に把握でき、素早く目的のタイトルを見つけだすことができる。
【００３８】
また、前述したように変数Ｔｗの値をリモコン操作により変更可能とすれば、取得フレーム数が変更可能となり、縮小画像の表示数を多くして特徴的な画面を表示させやすくすることができ、ユーザはより一層素早く目的のタイトルを見つけだすことができる。
【００３９】
なお、本実施形態ではハードディスクレコーダを例として説明したが、これに限らず、ＤＶＤレコーダ、ＨＤＤを備えた複合型ＤＶＤレコーダ等にも適用可能である。
【図面の簡単な説明】
【００４０】
【図１】は、本発明に係るハードディスクレコーダの概略構成図である。
【図２】は、本発明に係るハードディスクレコーダにおける録画中のフレーム取得動作に関するフローチャートである。
【図３】は、音量レベルの時間変化の一例を示す図である。
【図４】は、本発明に係るハードディスクレコーダによるタイトルリスト表示の一例を示す図である。
【図５】は、従来のハードディスクレコーダによるタイトルリスト表示の一例を示す図である。
【符号の説明】
【００４１】
１    アンテナ
２    チューナ
３    音声Ａ／Ｄ変換部
４    映像Ａ／Ｄ変換部
５    信号処理部
６    音声Ｄ／Ａ変換部
７    映像Ｄ／Ａ変換部
８    制御部
９    ＨＤＤ
１０    記憶部
１１    リモコン受信部
１００    ハイライト
【図１】
2008278113.tif 000003
【図２】
2008278113.tif 000004
【図３】
2008278113.tif 000005
【図４】
2008278113.tif 000006
【図５】
2008278113.tif 000007